(57)【要約】【課題】二輪車の走行中や休憩中や野営中などの際いつでも利用可能な、座席後端部に装着して用いるスピーカーをはじめとする音響装置を内蔵した背当てを提供することを課題とする。【解決手段】本発明の二輪車用背当ては、少なくとも１対のスピーカーの振動板を外向きとして、それぞれのスピーカー設置方向の角度を二輪車前進方向に対して略０度〜略９０度の範囲で、かつ水平方向上方へ略０度〜９０度の角度の範囲で保持し、スピーカーを背当てクッションに内蔵して、編み目状のまたは穿孔を設けたカバーで覆い、表皮または支持体またはクッション体のいずれか、あるいはその複数に止着する。【選択図】        図１
2006254396.tif 000002
【特許請求の範囲】
【請求項１】
少なくとも１対のスピーカーの振動板を外向きとして、それぞれのスピーカー設置方向の角度を二輪車前進方向に対して略０度〜略９０度の範囲で、かつ水平方向上方へ略０度〜９０度の角度の範囲で保持し、スピーカーを背当てクッションに内蔵して編み目状のまたは穿孔を設けたカバーで覆い、表皮または支持体またはクッション体のいずれか、あるいはその複数に止着した、少なくともスピーカー、表皮、クッション体、支持体よりなる二輪車用背当て。
【請求項２】
少なくとも１対のスピーカーの振動板を外向きとして、それぞれのスピーカー設置方向の角度を二輪車前進方向に対して略０度〜略９０度の範囲で、かつ水平方向上方へ略０度〜９０度の角度の範囲で保持し、スピーカーを背当てクッションに内蔵して編み目状のまたは穿孔を設けたカバーで覆い、表皮または支持体またはクッション体のいずれか、あるいはその複数に止着した、少なくともスピーカー、表皮、クッション体、支持体よりなる背当てクッション部を形成し、座部と一体に被覆してなる二輪車用座席。
【請求項３】
スピーカーへ入力する電気信号を増幅するアンプを内蔵し、音源入力端子を備えた請求項１または、請求項２に示す背当てクッション。
【請求項４】
重低音を機械的に増強再現する装置たる低音域電気信号−機械振動変換装置の少なくとも振動子部分をクッション体または、支持体、または表皮に止着して内蔵した請求項１または、請求項２に示す背当てクッション。
【請求項５】
小型ハードディスク装置またはフラッシュメモリー、あるいはＣＤ、またはＭＤ内蔵型の携帯式音楽再生装置と間口・奥行き・高さの外径寸法が略同一である溝部をクッション体単体または、クッション体および支持体の双方に切り込みして設け、略同一の間口・奥行き・高さの内包寸法となし、更に表皮に間口・奥行き寸法が略同一である開口部を切り欠き、同時に表皮に音源入力端子を備えた請求項１、請求項２、請求項３または請求項４に示す二輪車用背当てクッション。
【発明の詳細な説明】
【技術分野】
【０００１】本発明は、二輪車座席の後端部に載置され、主として音楽の鑑賞に使用される音響システムを内蔵した二輪車用背当てクッションに関する。
【背景技術】
【０００２】近年、多くの乗用車並びに、ワゴン車などのレクリェーショナル車両には、アンプ、ＣＤプレーヤー、ＭＤデッキ、チューナー、スピーカーなどを組み合わせた高品位なオーディオシステムが載置されるのが一般的になってきたが、オートバイ、大形スクーターなど、外気に対して開放的な空間構造をなす二輪車においても音響システムを搭載して音楽等を楽しむライフスタイルが芽生えている。
【発明の開示】
【発明が解決しようとする課題】
【０００３】外気に対して開放的な空間構造である二輪車への音響システムの載置は、在来、周囲の騒音レベルが再生する音楽などのレベルより上回るため、本来の高品位な再生音響を利用者の耳迄届けることは困難であるなどの理由により、一般的には普及していない。【０００４】しかし、携帯式の小型大容量のハードディスクまたはフラッシュメモリーを内蔵した音楽再生装置（いわゆるＭＰ３プレーヤー）などの登場により、音楽を携帯しながら、移動中でも音楽等を楽しむことが普通のライフスタイルに成長して来ている。【０００５】他方では、車両の大型化、高性能化の進展、安全装置の進歩などの背景により、また高速道路での二人乗車を解禁するなどの法令的な土壌も整い、益々二輪車での長距離移動がし易くなり、今後促進される状況にある。【０００６】上述の通りの状況であるため、二輪車ユーザーには走行中のみならず、休憩中や野営中などに利用できる音響システムへの要望が多くある。【０００７】この様な状況の元、本発明は、それらの音響装置を装着できる部位が乗用車などに比べ極度に少ない二輪車において、上述の様な多彩な要望に応える為に、シート後端部に装着して用いる事のできる音響装置を内蔵した背当ての構造を示すものである。
【課題を解決するための手段】
【０００８】
【０００９】本発明の二輪車用背当てでは、背部クッションに於いて、左右中央部付近のクッション部分は保持し、側部クッションの左右部分を切り込み、スピーカーを内蔵するものである。【００１０】スピーカーは、その振動板の向きを側面外向きとして、スピーカーフレームをクッション部分、または支持体または表皮に止着する。【００１１】この際、スピーカーの取り付けは、真横方向（すなわち二輪車前進方向に対して略９０度方向）から前向きになる方向（前進方向対して略０度）まで、かつ水平方向か、あるいは水平よりも上方略９０度までの方向で固定する。【００１２】次に、アンプを内蔵する場合は、左右中央部付近のクッション部分の主として下端部を更に切り欠き、スペースを確保する。【００１３】更に体感音響装置を内蔵する場合は、左右中央部付近のクッション部分の主として前方部を更に切り込み、スペースを確保する。【００１４】携帯式の小型大容量のハードディスクまたはフラッシュメモリー内蔵型音楽再生装置（いわゆるＭＰ３プレーヤー）等より音源を受けて、当該背当てに設けたスピーカーより出力する場合は、それらの装置も、同時に背当てに設けた切り込み部に内蔵する。【００１５】かかる構成によれば、座席の後端部に取り付けし、着座の際に脊椎部分の支持の役割をになう背当ての左右中央部付近は、スピーカー内蔵の影響を受けずに円滑に機能する。【００１６】上述の通りの加工を行い形成されるため、音響装置の装着が容易であり、コンパクトな構成でありながら、使用者の要望に十分応えることが可能である。
【発明の効果】
【００１７】本発明に係る背当ては、上述の様な構成であるため、下記の通りの効果を奏し得る。
○音響装置が一体となり内蔵できるため、外観上部品が分散せずに美しい。
○音響機器をどこまで内蔵するかを種々設定でき、必要なシステム構成が可能である。
○５．１ＣＨサラウンドシステム用の後方用スピーカーとしても利用が可能である。
○市販の音楽再生装置をそのまま利用でき手軽である。
○体感音響装置を背当て中央への装着できるため、最も利用者への体感効果がある。
○脊椎部の保持が行え、搭乗姿勢が整う。
【発明を実施するための最良の形態】
【００１８】発明を実施するための最良の形態を以下の実施例を元に詳細に説明する。
【実施例】
【００１９】図１は、本発明に係る背当ての斜視図を示し、図２は図１に於けるＡ１−Ａ２部の断面図を、また図３、図４には、それぞれ構成を発展させた応用例を示した上面図を、更に図５には音響機器構成図を示し、図６、図７、図８には、背当ての取付け状態の実施例を示す。【００２０】図１、図２に示す本実施例の背当て１３は、支持体３を基盤にして止着された取付け金具１４を介し二輪車本体側に取り付けられており、背当て１３は、支持体３を基盤にして、クッション体２により形状が作られ、外周には、座席と同様な合成皮革製などの表皮１ａが張られている。【００２１】クッション体２は、チップモールドウレタン、モールドウレタンなどの単層でも形成できるが、硬度の違うポリウレタンフォームを、例えば硬度が高い順を中心にして、接着複層化したものを用いて形成する場合が多い。【００２２】スピーカー４ａは、スピーカー振動板４ｄの向きを側面外向きに向けて配置してあり、本実施例では、スピーカーフレーム４ｂをクッション体２に止着している。【００２３】このスピーカー４ａの機能は、スピーカー振動板４ｄで再現した音響をできるだけ損なう事なく、利用者に伝えられれば良く、従ってスピーカーフレーム４ｂの止着は、支持体３にしても良く、表皮１ａに直接止着しても良く、再生特性を考慮して止着する部位を設定する。【００２４】スピーカー４ａの表面は、スピーカー部表皮１ｂで被うが、この表皮１ｂは、振動板４ｄで再現した音響をできるだけ損なう事なく外部に伝える為に、編み目状、または、穿孔を設けた表皮を用いるが、一方この表皮１ｂは必ずしも表皮１ａと同一の材質であることを要せず、例えばプラスチック製でも良く、金属製でも良い。【００２５】さらに、本発明の背当て１３は、二輪車での利用を前提としたものであるため、絶えず外気にさらされることを考慮する際、雨水に対する防御を講ずることを要するのは、自明の事項であり、図２に示す通り、本発明の背当て１３では、少なくともスピーカー４ａの前面に、スピーカー部表皮１ｂと少なくとも周囲を止着した非透水布５を設けて覆っている。【００２６】本実施例での非透水布５は、気体を透過するが、液体を透過しない性質を有する表皮を用いているが、合成繊維をハニカム状等に織った立体状繊維製品などで、通常の大気圧において、背当て１３内部への雨水の浸透を抑えられる材質でも良く、また、スピーカー部表皮１ｂに非透水布５を兼用できる防水性を持たせれば、省略することもできる。【００２７】一方本実施例では、スピーカー４ａの前面にのみこれらの非透水布５を設けているが、表皮１ａとクッション体２の間に介在させて、背当て１３全面を覆う構成としても良い。【００２８】図３に示す実施例は、図１、図２に示す左右のスピーカー４ａを内蔵した基本構成に、サブスピーカー（ツイーター）７を追加し、アンプ８および低音域の電気信号−機械振動変換振動子６ａおよび電気信号−機械振動変換用アンプ６ｂを追加した実施例であるが、それらの重低音域の電気信号を機械振動に変換する体感音響装置を省略しても本発明の標準的な構成としては十分である。【００２９】スピーカー４ａは、コンポーネントステレオシステムを構成する上では、再生を行う周波数をその特性に合わせて分担させており、サブスピーカー（ツイータ）７には高音域を、スピーカー４ａには中音、および低音域の再生を受け持たせており、それらへ入力する電気信号は、アンプ８が増幅している。【００３０】電気信号を機械振動に変換して重低音域を増強する体感音響装置は、電気信号−機械振動変換アンプ６ｂで増幅された電気信号を振動子６ａで機械的な振動として変換している。【００３１】図４に示す実施例は、図１、図２に示す左右のスピーカー４ａを内蔵した基本構成に、携帯式の小型大容量のハードディスクまたはフラッシュメモリーあるいはＣＤプレーヤーなどの音楽再生装置２０と幅・厚さ・高さ等の内径寸法がおよそ同一のサイズの切り込み部分（収納溝部）１１を背当て１３の主要構成部材に設けて、音楽再生装置２０の収納に備えている。【００３２】更に音源入力端子１０を設け、アンプ８、ＦＭチューナー１８およびコントローラー音量つまみ９ｂと電源スイッチ９ｃなどを設けたコントローラー９ａも備えている。【００３３】尚、ＦＭチューナー１８は、音楽再生装置２０を背当て１３に内蔵せずに、ハンドル部など別途離れた位置に搭載して再生を行う際、音楽再生装置２０に接続したＦＭトランスミッター（再生音を一定周波数のＦＭ電波に乗せる伝導送信機器）からの電波を受信する為に設けるものである。【００３４】図３および図４に示す実施例に基づく、本発明に係る音響機器の発展的な構成図は図５に示す様であるが、本発明に係る最小限の構成は、スピーカー４ａおよびスピーカーリード線４ｃのみで足りる。【００３５】図４に示す実施例の様に、少なくとも１対のスピーカーの中心軸４ｅを二輪車前進方向に対して、略４５度の角度をなし、配置しているが、本発明ではこのスピーカー設置方向角度４ｆは、略０度から略９０度の範囲に設定してスピーカー４ａを、表皮１ａまたは支持体３またはクッション体２のいずれかあるいはその複数に、スピーカーフレーム４ｂを止着固定している。【００３６】同時に、少なくとも１対の当該スピーカーの中心軸４ｅは、水平方向に対し、スピーカー設置方向角度４ｆを上方に略０度から略９０度の間となる角度の範囲で設定保持し、表皮１ａまたは支持体３またはクッション体２のいずれかあるいはその複数に、スピーカーフレーム４ｂを止着固定する。【００３７】なお、図４に示す実施例の様に、雨水対策として、コントローラー９ａ、音楽再生装置２０を格納する切り込み部分（溝部）１１を覆う防水カバー１２を表皮１ａに止着している。【００３８】図４に示す実施例では、防水カバー１２を捲り上げた状態を示しているが、利用時には、防水カバー１２は、コントローラー９ａ、音楽再生装置２０を格納する切り込み部分（溝部）１１を覆い、面ファスナーなどにより一時固着される。【００３９】次に、本発明の背当て１３の利用による効果を具体的に説明する。【００４０】携帯式の小型大容量のハードディスクまたはフラッシュメモリー内蔵型などの音楽再生装置２０はいわゆるＭＰ３プレーヤーと呼ばれ広く普及しており、ＭＰ３プレーヤーでの再生音響はイヤホン端子などの音楽再生装置２０に具備した出力端子を経由して出力できるため、その信号を受け取り増幅すれば、二輪車専用の再生装置を具備しなくても、本発明の音響システムで容易に利用できるというメリットがある。【００４１】重低音を再生するためには、多くの場合、大口径であり、かつ出力の大きいスピーカーおよび、それを覆うスピーカーボックスと称する箱状の筺体を設けることを要するが、これらを載置スペースのない二輪車で再現することには、多くの困難があった。【００４２】しかし、重低音域の電気信号を機械振動に変換するいわゆる体感音響装置は、重低音を空気を介在させて利用者に伝えるのでなく、低音域の電気信号を機械的な振動に増強変換して、直接体に伝えという効果をもたらせる。【００４３】この為、本発明の通りの背当て１３の左右中央前方に振動子６ａを止着すれば、利用者の背部に効果的に伝えることができ、重低音を再現し臨場感を高揚できると共に、設置空間の上でもコンパクトにでき、背当て１３に内蔵できる。【００４４】本発明の背当て１３を二輪車本体へ取り付けるには、支持体３に止着した図６に示す様な取付け金具１４、または図７に示す様な取付けパイプ１６などを介して行うが、図８に示す様に、座席１５と密着させて構成するか、あるいは一体として形成しても良い。
【産業上の利用可能性】
【００４５】いわゆるヘッドレストがなく、背当ての低い椅子を用いるオフィース向け椅子等の室内空間、他の移動空間などの分野で、本発明の背当ての構造を利用することができる。
【図面の簡単な説明】
【００４６】
【図１】本発明に係るシートの斜視図である。
【図２】図１に於けるＡ１−Ａ２部分断面図である。
【図３】本発明に係る実施例を示した上面図である。
【図４】本発明に係る実施例を示した上面図である。
【図５】本発明に係る音響機器構成図である。
【図６】本発明に係る実施例を示した斜視図である。
【図７】本発明に係る実施例を示した斜視図である。
【図８】本発明に係る実施例を示した側面図である。
【符号の説明】
【００４７】      １ａ    表皮
１ｂ    スピーカー部表皮
２      クッション体
３      支持体
４ａ    スピーカー
４ｂ    スピーカーフレーム
４ｃ    スピーカーリード線
４ｄ    スピーカー振動板
４ｅ    スピーカー中心軸
４ｆ    スピーカー設置方向角度
５      非透水布
６ａ    電気信号−機械振動変換振動子
６ｂ    電気信号−機械振動変換用アンプ
７      サブスピーカー（ツイーター）
８      アンプ
９ａ    コントローラー
９ｂ    コントローラー音量ツマミ
９ｃ    コントローラー電源スイッチ
１０      音源入力端子
１１      切り込み部分（収納溝部）
１２      防水カバー
１３      背当て
１４      取付け金具
１５      座席
１６      取付けパイプ
１７      電源部
１８      ＦＭチューナー
１９      コネクタ（電線端子接続子）
２０      音楽再生装置
２１      電気配線
【図１】
2006254396.tif 000003
【図２】
2006254396.tif 000004
【図３】
2006254396.tif 000005
【図４】
2006254396.tif 000006
【図５】
2006254396.tif 000007
【図６】
2006254396.tif 000008
【図７】
2006254396.tif 000009
【図８】
2006254396.tif 000010